(57)【要約】      （修正有）【課題】エアインターフェース同期の方法及びシステムに関し、基地局自身がソースセルと認識できる方法を提供する。【解決手段】ターゲットセル基地局は、リスニング基準信号（ＲＳ）サブフレーム位置を受信し、リスニングＲＳサブフレーム位置情報を隣接セル基地局へ送信して、隣接セル基地局がリスニングＲＳサブフレーム位置でミューティング（ｍｕｔｉｎｇ）を実行するように指示する。ターゲットセル基地局は、リスニングＲＳサブフレーム位置を受信するに当たり、センターノードにより送信されたリスニングＲＳサブフレーム位置又は候補ソースセル基地局により送信されたリスニングＲＳサブフレーム位置情報、層数及びＲＳ設定情報が含まれている要求応答を受信する。【選択図】図１
2018137767.tif 000002
【特許請求の範囲】
【請求項１】
エアインターフェース同期の方法であって、
ターゲットセル基地局が、リスニング基準信号（ＲＳ）サブフレーム位置を受信し、リスニングＲＳサブフレーム位置情報を隣接セル基地局へ送信して、隣接セル基地局がリスニングＲＳサブフレーム位置でミューティング（ｍｕｔｉｎｇ）を実行するように指示することを含む、方法。
【請求項２】
前記ターゲットセル基地局がリスニングＲＳサブフレーム位置を取得することは、
前記ターゲットセル基地局が、センターノードにより送信されたリスニングＲＳサブフレーム位置、又は候補ソースセル基地局により送信されたリスニングＲＳサブフレーム位置情報、層数、及びＲＳ設定情報が含まれている要求応答を受信することである
請求項１に記載の方法。
【請求項３】
前記リスニングＲＳサブフレーム位置情報を隣接セル基地局へ送信し、隣接セル基地局がリスニングＲＳサブフレーム位置でｍｕｔｉｎｇを実行するように指示することは、
Ｓ１インターフェース、又はＸ２インターフェース、又は無線エアインターフェース、
又はバックホールリンクを介してリスニングＲＳサブフレーム位置情報を隣接セル基地局へ送信し、且つ識別子情報又は命令メッセージで隣接セル基地局がリスニングＲＳサブフレーム位置でｍｕｔｉｎｇを実行するように指示することである、または、Ｓ１インターフェース、又はＸ２インターフェース、又は無線エアインターフェース、又はバックホールリンクを介してリスニングＲＳサブフレーム位置情報を隣接セル基地局へ送信し、前記隣接セル基地局が前記リスニングＲＳサブフレーム位置情報及び前記指示を受信した後、前記隣接セル基地局はリスニングＲＳサブフレーム位置でｍｕｔｉｎｇを実行し、又は隣接セル基地局は自身の状況に応じて前記リスニングＲＳサブフレーム位置でｍｕｔｉｎｇを実行するかどうかを決定することである
請求項１に記載の方法。
【請求項４】
前記リスニングＲＳサブフレーム位置情報は、リスニングＲＳサブフレームの出現の周期情報、開始サブフレーム位置情報によって記述される、または、ターゲットセル基地局がＲＳを監視するサブフレーム位置である
請求項１に記載の方法。
【請求項５】
Ｓ１インターフェース、又はＸ２インターフェース、又は無線エアインターフェース、又はバックホールリンクを介して前記識別子情報又は命令メッセージを隣接セル基地局へ送信する
請求項３に記載の方法。
【請求項６】
前記開始サブフレーム位置情報によって指示された開始サブフレーム位置は、無線フレーム０のサブフレーム０に関連して限定される
請求項４に記載の方法。
【請求項７】
エアインターフェース同期のシステムであって、
前記システムは、ターゲットセル基地局、及び隣接セル基地局を含み、
ターゲットセル基地局は、リスニング基準信号（ＲＳ）サブフレーム位置を取得し、リスニングＲＳサブフレーム位置情報を隣接セル基地局へ送信し、かつ隣接セル基地局がリスニングＲＳサブフレーム位置でミューティング（ｍｕｔｉｎｇ）を実行するように指示するように構成される、システム。
【請求項８】
前記ターゲットセル基地局は、センターノードにより送信されたリスニングＲＳサブフレーム位置又は候補ソースセル基地局により送信されたリスニングＲＳサブフレーム位置情報、層数、及びＲＳ設定情報が含まれている要求応答を受信するように構成される
請求項７に記載のシステム。
【請求項９】
前記ターゲットセル基地局は、リスニングＲＳサブフレーム位置情報をＳ１インターフェース、又はＸ２インターフェース、又は無線エアインターフェース、又はバックホールリンクを介して隣接セル基地局へ送信し、識別子情報又は命令メッセージで隣接セル基地局がリスニングＲＳサブフレーム位置でｍｕｔｉｎｇを実行するように指示するように構成される、または、
前記ターゲットセル基地局は、リスニングＲＳサブフレーム位置情報をＳ１インターフェース、又はＸ２インターフェース、又は無線エアインターフェース、又はバックホールリンクを介して、隣接セル基地局へ送信するように構成され、
前記隣接セル基地局は、前記リスニングＲＳサブフレーム位置情報及び前記指示を受信した後、リスニングＲＳサブフレーム位置でｍｕｔｉｎｇを実行し、又は自身の状況に応じて前記リスニングＲＳサブフレーム位置でｍｕｔｉｎｇを実行するかどうかを決定するように構成される
請求項７に記載のシステム。
【請求項１０】
前記ターゲットセル基地局は、リスニングＲＳサブフレームの出現の周期情報、開始サブフレーム位置情報によって、リスニングＲＳサブフレーム位置情報が記述されるように構成される
請求項７に記載のシステム。
【請求項１１】
前記リスニングＲＳサブフレーム位置情報は、ターゲットセル基地局がＲＳを監視するサブフレーム位置である
請求項７に記載のシステム。
【請求項１２】
前記ターゲットセル基地局は、識別子情報又は命令メッセージで、隣接セル基地局がリスニングＲＳサブフレーム位置でｍｕｔｉｎｇを実行するように指示するように構成され、前記識別子情報又は命令メッセージは、Ｓ１インターフェース、又はＸ２インターフェース、又は無線エアインターフェース、又はバックホールリンクを介して隣接セル基地局へ送信される
請求項９に記載のシステム。
【発明の詳細な説明】
【技術分野】
【０００１】
本発明は無線通信分野に関し、特にエアインターフェース同期の方法及びシステムに関する。
【背景技術】
【０００２】
現在、ＬＴＥにおいて、小セル（ｓｍａｌｌ  ｃｅｌｌ）とマクロセル（ｍａｃｒｏ  ｃｅｌｌ）との同期技術を研究している。当該同期技術はｓｍａｌｌ  ｃｅｌｌの間の同期（他の応用シーンにも応用されることができ、異なる通信事業者の間のセル同期を含む）に用いられることができ、ｓｍａｌｌ  ｃｅｌｌは、ｍａｃｒｏ  ｃｅｌｌのエアインターフェース同期のための基準信号を受信することによって、ｍａｃｒｏ  ｃｅｌｌとの時間オフセットを計算し、定時を合わせてｍａｃｒｏ  ｃｅｌｌと同期する目的を実現する。
【０００３】
現在、マルチブロードキャストシングル周波数ネットワーク（ＭＢＳＦＮ：Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームに基づく方式をエアインターフェース同期のベースとすることを決定した。ＭＢＳＦＮサブフレームに基づく方式の基本原理は以下の通りである。
【０００４】
ｓｍａｌｌ  ｃｅｌｌは、ｍａｃｒｏ  ｃｅｌｌにより送信されたセル基準信号（ＣＲＳ）を監視することによって、ｍａｃｒｏ  ｃｅｌｌと同期するとともに、ｍａｃｒｏ  ｃｅｌｌから受信したＣＲＳのサブフレーム（監視したサブフレーム）をＭＢＳＦＮサブフレームに設定し、下位のＵＥへ送信する。そうすると、ｓｍａｌｌ  ｃｅｌｌの下位のＵＥの物理ダウンリンク制御チャネル（ＰＤＳＣＨ）伝送、測定への影響を最小化することができる。
【０００５】
ｓｍａｌｌ  ｃｅｌｌの配置について、特にｓｍａｌｌ  ｃｅｌｌの高密度の配置について、監視を実行する必要がある多くのｓｍａｌｌ  ｃｅｌｌは、ｍａｃｒｏ  ｃｅｌｌからエアインターフェース同期の基準信号を直接に受信することができず、隣接するｓｍａｌｌ  ｃｅｌｌをソースセルとして、当該ｓｍａｌｌ  ｃｅｌｌのエアインターフェース同期の基準信号を受信して、当該ｓｍａｌｌ  ｃｅｌｌとの同期を実現する。しかし、ｓｍａｌｌ  ｃｅｌｌとｍａｃｒｏ  ｃｅｌｌとの間に一定の定時差分が存在するため、特にマルチホップでのソースセルとｍａｃｒｏ  ｃｅｌｌとの定時差分がもっと大きいため、いくつかの会社は、ソースセルの同期レベルを記述するためのパラメータである層数を導入することを検討している。例えば、ソースセルとするｍａｃｒｏ  ｃｅｌｌの層数が０であると指定している場合、ｓｍａｌｌ  ｃｅｌｌ１は、ｍａｃｒｏ  ｃｅｌｌのエアインターフェース同期の基準信号を直接に受信して、ｍａｃｒｏ  ｃｅｌｌと同期する。さらに、ｓｍａｌｌ  ｃｅｌｌ１をｓｍａｌｌ  ｃｅｌｌ２のソースセルとする場合、ｓｍａｌｌ  ｃｅｌｌ１の層数は１であり、ｓｍａｌｌ  ｃｅｌｌ２をｓｍａｌｌ  ｃｅｌｌ３のソースセルとする場合、ｓｍａｌｌ  ｃｅｌｌ３の層数が２であり、このように類推する。同層のソースセルとの間は定時差分がないと考えられる。
【０００６】
通常に、小セルが高密度で配置されているので、管理の便利のために、小セルクラスタという概念を導入する。同一のｍａｃｒｏ  ｃｅｌｌの下位のｓｍａｌｌ  ｃｅｌｌについて、地理位置によって、それぞれいくつかの異なる小セルクラスタに属し、小セルクラスタの間にもある程度の干渉が存在する可能性があり、小セルがソースセルを選択する場合、異なる小セルクラスタを回避する必要がある。
【０００７】
しかし、現在のエアインターフェース同期のプロセスにおいて、いくつかの問題がある。
【０００８】
従来のプロセスにおいて、ターゲットセルは、一つのソースセルのセル情報が含まれているエアインターフェース同期要求をコアネットワークへ送信し、次に、コアネットワークは、前記ソースセルとインタラクトして、ソースセルの層数情報と同期状態情報を取得し、その後、ソースセルの層数情報と同期状態情報をターゲットセルへ送信して、ターゲットセルは、当該ソースセルを自分のソースセルとして選定するかどうかを自律的に決定し、プロセスを終了する。
【０００９】
明らかに、従来のプロセスにおいて、ソースセルは、自分が最終にあるターゲットセルのソースセルとされるかどうかを分からない。さらに、最新のＬＴＥエアインターフェース同期増強の検討に基づいて、ソースセルは、オフされる際に依然としてリスニング基準信号（ＲＳ）を送信する必要がある。そして、従来のプロセスに応じて、ソースセルは、自分がソースセルとされるかどうかを分からないため、オフされる際に依然としてリスニングＲＳを送信するかどうかを正確に判断することができない。
【発明の概要】
【００１０】
従来の課題を解決するために、本発明はエアインターフェース同期の方法及びシステムを提供して、セルの間のエアインターフェース同期を容易に実現する。
【００１１】
本発明の技術案は以下の通りである。
【００１２】
本発明はエアインターフェース同期の方法を提供し、当該方法は、
ターゲットセル基地局が、センターノードへ候補ソースセル情報が含まれているリスニング要求情報を送信することと、
センターノードが、前記候補ソースセル情報に応じて、エアインターフェース同期監視関係を決定し、エアインターフェース同期監視関係によって決定されたソースセル基地局へソースセル決定情報及びリスニング基準信号（ＲＳ）サブフレーム位置情報を送信し、ターゲットセル基地局へリスニングソースセル情報及びリスニングＲＳサブフレーム位置情報を送信することとを含む。
【００１３】
本発明はエアインターフェース同期の方法を提供し、当該方法は、
ターゲットセル基地局が、候補ソースセル基地局へエアインターフェース同期のためのリスニング要求情報を送信することと、
候補ソースセル基地局が、前記リスニング要求情報を受信し、ターゲットセル基地局へ要求応答を送信することと、
ターゲットセル基地局が、前記要求応答に応じて、ソースセル基地局を選択することとを含み、前記要求応答は、リスニング基準信号（ＲＳ）サブフレーム位置情報、層数、及びＲＳ設定情報のうちの少なくもと一つを含む。
【００１４】
本発明はエアインターフェース同期の方法を提供し、当該方法は、
ターゲットセル基地局が、センターノードへ候補ソースセル情報が含まれているリスニング要求情報を送信することと、
センターノードが、候補ソースセルの関連情報を取得し、前記関連情報をターゲットセル基地局へ送信することと、
ターゲットセル基地局が、前記関連情報に応じてソースセル基地局を選択することとを含み、
ここで、前記関連情報は、リスニング基準信号（ＲＳ）サブフレーム位置情報、層数、及びＲＳ設定情報のうちの少なくとも一つを含む。
【００１５】
本発明はエアインターフェース同期の方法を提供し、当該方法は、
ターゲットセル基地局が、センターノードへ候補ソースセル情報が含まれているリスニング要求情報を送信することと、
センターノードが、前記候補ソースセルの関連情報を取得し、前記関連情報をターゲットセル基地局へ送信することと、
ターゲットセル基地局が、前記関連情報に応じてソースセル基地局を選択することとを含み、
ここで、前記関連情報は、リスニング基準信号（ＲＳ）サブフレーム位置情報、層数、及びＲＳ設定情報のうちの少なくとも一つを含む。
【００１６】
本発明はエアインターフェース同期の方法を提供し、当該方法は、
ターゲットセル基地局が、ソースセル基地局を選択し、ソースセル決定情報及びリスニング基準信号（ＲＳ）サブフレーム位置情報を、選択されたソースセル基地局へ送信することと、
前記ソースセル基地局が、リスニングＲＳサブフレーム位置情報に応じて、リスニングＲＳサブフレーム位置でリスニングＲＳを送信することとを含む。
【００１７】
本発明はエアインターフェース同期の方法を提供し、当該方法は、
センターノードが、ソースセルとして選定されたソースセル基地局へソースセル決定情報及びリスニング基準信号（ＲＳ）サブフレーム位置情報を送信することと、
前記ソースセル基地局が、リスニングＲＳサブフレーム位置情報に応じて、リスニングＲＳサブフレーム位置でリスニングＲＳを送信することとを含む。
【００１８】
本発明はエアインターフェース同期の方法を提供し、当該方法は、
ターゲットセル基地局が、リスニング基準信号（ＲＳ）サブフレーム位置を受信し、リスニングＲＳサブフレーム位置情報を隣接セル基地局へ送信して、隣接セル基地局がリスニングＲＳサブフレーム位置でミューティング（ｍｕｔｉｎｇ）を実行するように指示することを含む。
【００１９】
本発明はエアインターフェース同期の方法を提供し、当該方法は、
センターノードが、ターゲットセルのリスニング基準信号（ＲＳ）サブフレーム位置を決定し、ターゲットセル基地局へ前記リスニングＲＳサブフレーム位置情報を送信することと、
ターゲットセル基地局が、前記リスニングＲＳサブフレーム位置情報をターゲットセル基地局の隣接セル基地局へ送信することとを含む。
【００２０】
本発明はエアインターフェース同期の方法を提供し、当該方法は、
センターノードが、ターゲットセルのリスニング基準信号（ＲＳ）サブフレーム位置を決定し、ターゲットセル基地局及びターゲットセル基地局の隣接セル基地局へリスニングＲＳサブフレーム位置情報を送信し、ターゲットセル基地局の隣接セル基地局がリスニングＲＳサブフレーム位置でミューティング（ｍｕｔｉｎｇ）を実行するように指示することを含む。
【００２１】
本発明はエアインターフェース同期の方法を提供し、当該方法は、
ターゲットセル基地局が、ソースセル基地局を選択し、リスニング基準信号（ＲＳ）サブフレーム位置情報が含まれているソースセル決定情報を選択されたソースセル基地局へ送信することと、
前記ソースセル基地局が、前記ソースセル決定情報を受信し、自身の隣接セル基地局へリスニングＲＳサブフレーム位置情報を送信することと、
前記隣接セル基地局が、リスニングＲＳサブフレーム位置情報に応じて、リスニングＲＳサブフレーム位置でミューティング（ｍｕｔｉｎｇ）を実行することとを含む。
【００２２】
本発明はエアインターフェース同期の方法を提供し、当該方法は、
ターゲットセル基地局が、リスニング基準信号（ＲＳ）サブフレーム位置情報を隣接する同じ通信事業者のセル基地局へ送信し、かつ前記隣接する同じ通信事業者のセル基地局がリスニングＲＳサブフレーム位置でミューティング（ｍｕｔｉｎｇ）を実行するように指示することを含む。
【００２３】
本発明はエアインターフェース同期のシステムを提供し、当該システムは、
センターノードへ候補ソースセル情報が含まれているリスニング要求情報を送信し、リスニングソースセル情報及びリスニング基準信号（ＲＳ）サブフレーム位置情報を受信するように構成されるターゲットセル基地局と、
前記候補ソースセル情報に応じて、エアインターフェース同期監視関係を決定し、エアインターフェース同期監視関係によって決定されたソースセル基地局へソースセル決定情報及びリスニングＲＳサブフレーム位置情報を送信し、ターゲットセル基地局へリスニングソースセル情報及びリスニングＲＳサブフレーム位置情報を送信するように構成されるセンターノードと、
ソースセル決定情報及びリスニングＲＳサブフレーム位置情報を受信するように構成されるソースセル基地局とを含む。
【００２４】
本発明はエアインターフェース同期のシステムを提供し、当該システムは、
候補ソースセル基地局へエアインターフェース同期のためのリスニング要求情報を送信し、候補ソースセル基地局の要求応答に応じて、ソースセル基地局を選択するように構成されるターゲットセル基地局と、
前記リスニング要求情報を受信し、ターゲットセル基地局へ要求応答を送信するように構成される候補ソースセル基地局とを含み、前記要求応答は、リスニングＲＳサブフレーム位置情報、層数、及びＲＳ設定情報のうちの少なくとも一つを含む。
【００２５】
本発明はエアインターフェース同期のシステムを提供し、当該システムは、ターゲットセル基地局、センターノード、及びソースセル基地局を含み、
ターゲットセル基地局は、センターノードへ候補ソースセル情報が含まれているリスニング要求情報を送信し、さらに、センターノードにより送信された候補ソースセルの関連情報に応じてソースセル基地局を選択するように構成され、
センターノードは、候補ソースセルの関連情報を取得し、前記関連情報をターゲットセル基地局へ送信するように構成され、ここで、前記関連情報は、リスニング基準信号（ＲＳ）サブフレーム位置情報、層数、及びＲＳ設定情報のうちの少なくとも一つを含む。
【００２６】
本発明はエアインターフェース同期のシステムを提供し、当該システムは、ターゲットセル基地局、センターノード、及びソースセル基地局を含み、
ターゲットセル基地局は、センターノードへ候補ソースセル情報が含まれているリスニング要求情報を送信し、さらに、センターノードにより送信された候補ソースセルの関連情報に応じてソースセル基地局を選択するように構成され、
センターノードは、候補ソースセルの関連情報を取得し、前記関連情報をターゲットセル基地局へ送信するように構成され、
ここで、前記関連情報は、リスニング基準信号（ＲＳ）サブフレーム位置情報、層数、及びＲＳ設定情報のうちの少なくとも一つを含む。
【００２７】
本発明はエアインターフェース同期のシステムを提供し、当該システムは、
ソースセル基地局を選択し、ソースセル決定情報及びリスニング基準信号（ＲＳ）サブフレーム位置情報を、選択されたソースセル基地局へ送信するように構成されるターゲットセル基地局と、
リスニングＲＳサブフレーム位置でリスニングＲＳを送信するように構成されるソースセル基地局とを含む。
【００２８】
本発明はエアインターフェース同期のシステムを提供し、当該システムは、
ソースセルとして選定されたソースセル基地局へソースセル決定情報及びリスニング基準信号（ＲＳ）サブフレーム位置情報を送信するように構成されるセンターノードと、
リスニングＲＳサブフレーム位置情報に応じて、リスニングＲＳサブフレーム位置でリスニングＲＳを送信するように構成されるソースセル基地局とを含む。
【００２９】
本発明はエアインターフェース同期のシステムを提供し、当該システムは、ターゲットセル基地局、及び隣接セル基地局を含み、
ターゲットセル基地局は、リスニング基準信号（ＲＳ）サブフレーム位置を取得し、リスニングＲＳサブフレーム位置情報を隣接セル基地局へ送信し、かつ隣接セル基地局がリスニングＲＳサブフレーム位置でミューティング（ｍｕｔｉｎｇ）を実行するように指示するように構成される。
【００３０】
本発明はエアインターフェース同期のシステムを提供し、当該システムは、
ターゲットセルのリスニング基準信号（ＲＳ）サブフレーム位置を決定し、ターゲットセル基地局へ前記リスニングＲＳサブフレーム位置情報を送信するように構成されるセンターノードと、
前記リスニングＲＳサブフレーム位置情報をターゲットセル基地局の隣接セル基地局へ送信するように構成されるターゲットセル基地局と、
前記リスニングＲＳサブフレーム位置情報を受信するように構成されるターゲットセル基地局の隣接セル基地局とを含む。
【００３１】
本発明はエアインターフェース同期のシステムを提供し、当該システムは、
ターゲットセルのリスニング基準信号（ＲＳ）サブフレーム位置を決定し、ターゲットセル基地局及びターゲットセル基地局の隣接セル基地局へリスニングＲＳサブフレーム位置情報を送信し、ターゲットセル基地局の隣接セル基地局がリスニングＲＳサブフレーム位置でミューティング（ｍｕｔｉｎｇ）を実行するように指示するように構成されるセンターノードと、
リスニングＲＳサブフレーム位置情報を受信するように構成されるターゲットセル基地局と、
リスニングＲＳサブフレーム位置情報及び前記指示を受信するように構成されるターゲットセル基地局の隣接セル基地局とを含む。
【００３２】
本発明はエアインターフェース同期のシステムを提供し、当該システムは、
ソースセル基地局を選択し、リスニング基準信号（ＲＳ）サブフレーム位置情報が含まれているソースセル決定情報を、選択されたソースセル基地局へ送信するように構成されるターゲットセル基地局と、
前記ソースセル決定情報を受信し、自身の隣接セル基地局へリスニングＲＳサブフレーム位置情報を送信するように構成されるソースセル基地局と、
リスニングＲＳサブフレーム位置情報に応じて、リスニングＲＳサブフレーム位置でミューティング（ｍｕｔｉｎｇ）を実行するように構成されるソースセル基地局の隣接セル基地局とを含む。
【００３３】
本発明はエアインターフェース同期のシステムを提供し、当該システムは、
リスニング基準信号（ＲＳ）サブフレーム位置情報を、隣接する同じ通信事業者のセル基地局へ送信し、かつ前記隣接する同じ通信事業者のセル基地局がリスニングＲＳサブフレーム位置でミューティング（ｍｕｔｉｎｇ）を実行するように指示するように構成されるターゲットセル基地局と、
リスニングＲＳサブフレーム位置情報及び前記指示を受信するように構成される隣接する同じ通信事業者のセル基地局とを含む。
【００３４】
本発明の実施例に係るエアインターフェース同期の方法及びシステムによれば、ソースセルに自分がソースセルとされることをタイムリーに知らせることによって、ソースセルは、オフされる際にリスニングＲＳを送信することができ、これによって従来のプロセスにおいて、ソースセルが、自分がソースセルとされることを分からないため、オフされる際に依然としてリスニングＲＳを送信するかどうかを正確に判断することができないという問題を解決することができる。
【図面の簡単な説明】
【００３５】
【図１】本発明の実施例に係るエアインターフェース同期の第１の方法のフローチャートである。
【図２】本発明の実施例に係るエアインターフェース同期の第２の方法のフローチャートである。
【図３】本発明の実施例に係るエアインターフェース同期の第３の方法のフローチャートである。
【図４】本発明の実施例に係るエアインターフェース同期の第４の方法のフローチャートである。
【図５】本発明の実施例に係るエアインターフェース同期の第１、第３、及び第４のシステムの構成の模式図である。
【図６】本発明の実施例に係るエアインターフェース同期の第２のシステムの構成の模式図である。
【図７】本発明の実施例に係るエアインターフェース同期の第５のシステムの構成の模式図である。
【図８】本発明の実施例に係るエアインターフェース同期の第６のシステムの構成の模式図である。
【図９】本発明の実施例に係るエアインターフェース同期の第７のシステムの構成の模式図である。
【図１０】本発明の実施例に係るエアインターフェース同期の第８、及び第９のシステムの構成の模式図である。
【図１１】本発明の実施例に係るエアインターフェース同期の第１０のシステムの構成の模式図である。
【図１２】本発明の実施例に係るエアインターフェース同期の第１１のシステムの構成の模式図である。
【発明を実施するための形態】
【００３６】
本発明の実施例に係るエアインターフェース同期の方法によれば、背景技術に記述される従来のプロセスで解決できない問題を改善すると同時に、本発明の実施例はＬＴＥの既存セルエアインターフェース同期の開発を結合し、プロセスでの信号伝送をさらに増強することによって、エアインターフェース同期がミューティング（ｍｕｔｉｎｇ）調整及び小セルオン／オフ（ｓｍａｌｌ  ｃｅｌｌ  ｏｎ／ｏｆｆ）の技術の導入による問題への行動をサポートするようにする。
【００３７】
本発明の実施例はエアインターフェース同期の方法を提供し、当該方法は少なくとも以下のパラメータを使用する。
【００３８】
リスニング基準信号（ＲＳ）サブフレーム位置情報、ソースセル決定情報、ＲＳ設定情報、層数、リスニング要求情報、及び候補ソースセル情報である。
【００３９】
ここで、パラメータの意味は以下の通りである。
【００４０】
リスニングＲＳサブフレーム位置情報：それぞれソースセル、ターゲットセル及び隣接セルのために、送信ＲＳ、リスニングＲＳおよびミューティング（ｍｕｔｉｎｇ）を記述するサブフレーム位置である。
【００４１】
ソースセル決定情報：セルへソースセルとして選定される又は選定されないことを通知する。
【００４２】
ＲＳ設定情報：ソースセルにより送信された又はターゲットセルにより受信されたリスニングＲＳタイプ及び設定情報を記述するためのものであり、例えば、ポート数、ポート番号である。
【００４３】
層数：ソースセルの層数を記述する。
【００４４】
リスニング要求情報：ターゲットセルから送信され、ターゲットセルが適切なソースセルを探す必要があることを示し、又はターゲットセルがソースセルを必要とせず、当該ターゲットセルに対して、ソースセルがキャンセルしてもよいことを示す。
【００４５】
候補ソースセル情報：ターゲットセルから送信され、ターゲットセルのソースセルとして可能なセルのセル情報を記述する。
【００４６】
以上のパラメータの具体的なシグナリング設計について、本発明により提供される具体的な実施例は以下の通りである。
【００４７】
ソースセル決定情報：１ビットを設定することによって記述される。例えば、ビット値が１である場合、当該ソースセル決定情報を受信したセルがソースセルとして選定されることを示し、ビット値が０である又は当該ビットが設定されない場合、当該ソースセル決定情報を受信したセルがソースセルとして選定されないことを示す。
【００４８】
リスニングＲＳサブフレーム位置情報：リスニングＲＳサブフレームの出現の周期情報、開始サブフレーム位置情報によって記述される。例えば、周期情報がＰ（例えば１０秒又は５秒）であり、開始サブフレーム位置は無線フレームＮ（値は０〜１０２３の正の整数であり、シグナリングオーバヘッドを低減するために、Ｎの値の範囲はさらに小さく限定されてもよく、例えば０〜７の正の整数である）におけるサブフレームＭ（Ｍは０〜９の正の整数である）である。具体的には、周期情報は、１ビットを利用して、１である場合、周期が１０ｓであることを示し、０である場合、周期が５ｓであることを示し、無線フレームは、３ビットを利用して、値がそれぞれ０〜７に対応し、サブフレームは、４ビットを利用して、値が小さいのから大きいのまで０〜９に対応し、他の状態は保留して使用しない。
【００４９】
ＲＳ設定情報：通常に、セル基準信号（ＣＲＳ）、チャネル状態情報基準信号（ＣＳＩ−ＲＳ）、及び位置決め基準信号（ＰＲＳ）を含み、ここで、異なるＲＳのポート数も異なるため、ＲＳのポート数に応じて必要なビット数を決定することも必要である。
【００５０】
リスニング要求情報：１ビットを設定することによって記述される。例えば、ビット値が１である場合、当該リスニング要求情報を送信したセルが適当なソースセルを選択する必要があることを示し、ビット値が０である又は当該ビットが設定されない場合、当該リスニング要求情報を送信したセルが元のソースセルを取り消すことを示す。
【００５１】
候補ソースセル情報：セル物理識別子（ＩＤ）によって記述されてもよく、又は、リスニングＲＳタイプ及びＲＳシーケンスインデックスによって記述されてもよい。
【００５２】
従来のプロセスと本願のプロセスは異なっているため、完全に従来のプロセスのメッセージを多重化することは不可能であり、それぞれの方法対応するプロセルのために、対応するメッセージを設定し、プロセスにおいて伝送する必要があるパラメータ数に応じて、メッセージの情報ユニットを設定し、各パラメータが一つの情報ユニットに対応する。
【００５３】
Ｘ２インターフェース又はＳ１インターフェースを介して既存のメッセージに上記パラメータを追加して実現してもよい。
【００５４】
これらのパラメータは、対応する方法に応用され、以下、エアインターフェース同期の方法を説明する。
【００５５】
方法１：エアインターフェース同期の方法であって、図１のように、当該方法は主に以下のステップを含む。
【００５６】
ステップ１０１：ターゲットセル基地局は、センターノードへ候補ソースセル情報が含まれているリスニング要求情報を送信する。
【００５７】
ステップ１０２：センターノードは、前記候補ソースセル情報に応じて、エアインターフェース同期監視関係を決定し、エアインターフェース同期監視関係によって決定されたソースセル基地局へソースセル決定情報及びリスニングＲＳサブフレーム位置情報を送信し、さらに、ターゲットセル基地局へリスニングソースセル情報及びリスニングサブフレーム位置情報を送信する。
【００５８】
このプロセスにおいて、パラメータは、リスニングＲＳサブフレーム位置情報、候補ソースセル情報、ソースセル決定情報、及びリスニング要求情報を含む。
【００５９】
方法２：エアインターフェース同期の方法であって、図２のように、当該方法は主に以下のステップを含む。
【００６０】
ステップ２０１：ターゲットセル基地局は、候補ソースセル基地局へエアインターフェース同期のためのリスニング要求情報を送信する。
【００６１】
ステップ２０２：候補ソースセル基地局は、ターゲットセル基地局へリスニングＲＳサブフレーム位置情報、層数、及びＲＳ設定情報が含まれている要求応答を送信する。
【００６２】
ステップ２０３：ターゲットセル基地局は、要求応答に応じて、適切なソースセル基地局を選択し、選択されたソースセル基地局へソースセル決定情報を送信する。
【００６３】
このプロセスにおいて、パラメータは、リスニングＲＳサブフレーム位置情報、ソースセル決定情報、層数、ＲＳ設定情報、及びリスニング要求情報を含む。
【００６４】
ここで、ターゲットセル基地局は、測定することによって（例えばＲＲＭ測定）、自身の候補ソースセルの情報を取得することができる。前記要求応答に含まれている情報は、以上のＲＳサブフレーム位置情報、層数、及びＲＳ設定情報のうちの一つ又は複数を含んでもよい。
【００６５】
ここで、ターゲットセル基地局は、要求応答に応じて適切なソースセル基地局を選択した後、選択されたソースセル基地局へソースセル決定情報を送信しなくてもよい。この時、要求応答を送信したソースセル基地局は、自分があるセル基地局のソースセル基地局とされることを黙認する。つまり、選択的に、選択されたソースセルへソースセル決定情報を送信しなくてもよく、本願に関連するすべての方法に応用されることができる。例えば、方法２におけるステップ２０３は、ターゲットセル基地局が要求応答に応じて適切なソースセル基地局を選択することであってもよい。
【００６６】
方法３：エアインターフェース同期の方法であって、図３のように、当該方法は主に以下のステップを含む。
【００６７】
ステップ３０１：ターゲットセル基地局は、センターノードへ候補ソースセル情報が含まれているリスニング要求情報を送信する。
【００６８】
ステップ３０２：センターノードは、候補ソースセルの関連情報を取得して、関連情報をターゲットセル基地局へ送信する。
【００６９】
ステップ３０３：ターゲットセル基地局は、前記関連情報に応じて適切なソースセル基地局を選択し、かつソースセル決定情報をセンターノードへ送信する。
【００７０】
ステップ３０４：センターノードは、ソースセル決定情報をターゲットセル基地局が選択したソースセル基地局へ送信する。ここで、前記関連情報は、リスニングＲＳサブフレーム位置情報、層数、及びＲＳ設定情報を含む。
【００７１】
この方法において、パラメータは、リスニングＲＳサブフレーム位置情報、ソースセル決定情報、層数、ＲＳ設定情報、リスニング要求情報、及び候補ソースセル情報を含む。
【００７２】
ここで、ステップ３０３は、ターゲットセル基地局が前記関連情報に応じて適切なソースセル基地局を選択することであってもよい。
【００７３】
方法４：エアインターフェース同期の方法であって、図４のように、当該方法は主に以下のステップを含む。
【００７４】
ステップ４０１：ターゲットセル基地局は、センターノードへ候補ソースセル情報が含まれているリスニング要求情報を送信する。
【００７５】
ステップ４０２：センターノードは、候補ソースセルの関連情報を取得して、関連情報をターゲットセル基地局へ送信する。
【００７６】
ステップ４０３：ターゲットセル基地局は、前記関連情報に応じて適切なソースセル基地局を選択し、かつソースセル決定情報を、選択されたソースセル基地局へ送信する。
【００７７】
ここで、前記関連情報は、リスニングＲＳサブフレーム位置情報、層数、及びＲＳ設定情報を含む。
【００７８】
この方法において、パラメータは、リスニングＲＳサブフレーム位置情報、ソースセル決定情報、層数、ＲＳ設定情報、リスニング要求情報、及び候補ソースセル情報を含む。
【００７９】
ここで、ステップ４０３は、ターゲットセル基地局が前記関連情報に応じて適切なソースセル基地局を選択することであってもよい。
【００８０】
方法５：エアインターフェース同期の方法であって、前記方法は、
ターゲットセル基地局が、適切なソースセル基地局を選択し、ソースセル決定情報を、選択されたソースセルの基地局へ送信し、及び、ターゲットセル基地局によって決定されたリスニングＲＳサブフレーム位置情報を送信し、ソースセル基地局がリスニングＲＳサブフレーム位置でリスニングＲＳを送信することを含む。ここで、前記ソースセル決定情報を、選択されたソースセルの基地局へ送信することは、選択的なものである。
【００８１】
ここで、ソースセル基地局がオフされる必要がある場合、リスニングＲＳサブフレーム位置でリスニングＲＳを送信する必要がある。
【００８２】
また、ソースセル基地局は、隣接セル基地局へ前記リスニングＲＳサブフレーム位置を送信して、隣接セル基地局がリスニングＲＳサブフレーム位置でｍｕｔｉｎｇを実行するように指示してもよい。
【００８３】
この方法において、パラメータは、ソースセル決定情報、リスニング及びＲＳサブフレーム位置情報を含む。
【００８４】
方法６：エアインターフェース同期の方法であって、前記方法は、
センターノードが、調整することによって、ソースセルとして選択されたソースセル基地局へソースセル決定情報を送信すると同時に、リスニングＲＳサブフレーム位置情報を送信し、ソースセル基地局がリスニングＲＳサブフレーム位置でリスニングＲＳを送信することを含む。ここで、前記リスニングＲＳサブフレーム位置情報を送信することは、選択的なものである。
【００８５】
ここで、ソースセル基地局がオフされる必要がある場合、ソースセル基地局がリスニングＲＳサブフレーム位置でリスニングＲＳを送信する必要がある。
【００８６】
この方法において、パラメータは、ソースセル決定情報、及びリスニングＲＳサブフレーム位置情報を含む。
【００８７】
方法７：エアインターフェース同期の方法であって、前記方法は、
ターゲットセル基地局がリスニングＲＳサブフレーム位置を取得した後、リスニングＲＳサブフレーム位置情報を隣接セル基地局に通知し、かつ隣接セル基地局がリスニングサブフレーム位置でミューティング（ｍｕｔｉｎｇ）を実行するように指示することを含む。
【００８８】
前記隣接セル基地局が、リスニングＲＳサブフレーム位置情報及び前記指示を受信した後、リスニングＲＳサブフレーム位置でｍｕｔｉｎｇをすぐに実行してもよいし、自身の状況に応じてリスニングＲＳサブフレーム位置でｍｕｔｉｎｇを実行するかどうかを決定してもよい。
【００８９】
前記指示は、識別子情報又は命令メッセージであってもよく、例えば、識別子情報が１又は０である場合、ｍｕｔｉｎｇを実行することを示し、又は命令メッセージである「ｍｕｔｉｎｇ」は、ｍｕｔｉｎｇを実行することを示す。
【００９０】
この方法において、パラメータはリスニングＲＳサブフレーム位置情報を含み、前記リスニングＲＳサブフレーム位置情報は、リスニングＲＳサブフレームの出現の周期情報、開始サブフレーム位置情報によって記述され、リスニングＲＳサブフレーム位置情報は、ターゲットセル基地局がＲＳを監視（受信）するサブフレーム位置であり、ターゲットセル基地局は、当該サブフレームにおけるＲＳを利用して、エアインターフェース同期を実現する。
【００９１】
ターゲットセル基地局とターゲットセルの隣接セル基地局とのインタラクトについて、Ｓ１インターフェース、又はＸ２インターフェース、又は無線エアインターフェース、又はバックホールリンクを介してインタラクトしてもよい。
【００９２】
前記ターゲットセル基地局がリスニングＲＳサブフレーム位置を取得することは、
前記ターゲットセル基地局が、センターノードにより送信されたリスニングＲＳサブフレーム位置又は候補ソースセル基地局により送信されたリスニングＲＳサブフレーム位置情報、層数、及びＲＳ設定情報が含まれている要求応答を受信すること、又は候補ソースセルの基準信号を監視することによってリスニングＲＳサブフレーム位置情報を決定することである。
【００９３】
ここで、前記リスニングＲＳサブフレーム位置情報を隣接セル基地局へ送信し、かつ隣接セル基地局がリスニングＲＳサブフレーム位置でｍｕｔｉｎｇを実行するように指示することは、リスニングＲＳサブフレーム位置情報をＳ１インターフェース、又はＸ２インターフェース、又は無線エアインターフェース、又はバックホールリンクを介して隣接セル基地局へ送信し、識別子情報又は命令メッセージで隣接セル基地局がリスニングＲＳサブフレーム位置でｍｕｔｉｎｇを実行するように指示することである。
【００９４】
ここで、前記識別子情報又は命令メッセージも、Ｓ１インターフェース、又はＸ２インターフェース、又は無線エアインターフェース、又はバックホールリンクを介してインタラクトされる。
【００９５】
方法８：エアインターフェース同期の方法であって、前記方法は、
センターノードが、調整することによって、ターゲットセル基地局のリスニングＲＳサブフレーム位置を決定し、かつターゲットセル基地局に通知することができ、ターゲットセル基地局が、前記リスニングＲＳサブフレーム位置を隣接セル基地局に通知することを含む。
【００９６】
この方法において、パラメータは、リスニングＲＳサブフレーム位置情報を含む。
【００９７】
方法９：エアインターフェース同期の方法であって、前記方法は、
センターノードが、調整することによって、ターゲットセル基地局のリスニングＲＳサブフレーム位置を決定し、かつターゲットセル基地局に通知し、センターノードが、ターゲットセル基地局の隣接セル基地局がリスニングＲＳサブフレーム位置でｍｕｔｉｎｇを実行する必要があることを同時に通知することを含む。
【００９８】
この方法において、パラメータは、リスニングＲＳサブフレーム位置情報を含む。
【００９９】
方法１０：エアインターフェース同期の方法であって、前記方法は、
ターゲットセル基地局が、適切なソースセル基地局を選択し、ソースセル決定情報を、選択されたソースセル基地局へ送信し、ソースセル基地局が、隣接セル基地局にリスニングＲＳサブフレーム位置情報を通知し、前記隣接セル基地局がリスニングＲＳサブフレーム位置でｍｕｔｉｎｇを実行することを含む。ここで、前記ソースセル決定情報を、選択されたソースセル基地局へ送信することは、選択的なものである。
【０１００】
この方法において、パラメータは、リスニングＲＳサブフレーム位置情報、及びソースセル決定情報を含む。方法２の記述を参照して、ターゲットセルが適切なソースセルを選択することについて、選択されたソースセル基地局へソースセル決定情報を送信しなくてもよい。
【０１０１】
方法１１：エアインターフェース同期の方法であって、前記方法は、
ターゲットセル基地局が、リスニングＲＳサブフレーム位置情報を隣接する同じ通信事業者のセル基地局へ送信し、かつ前記隣接する同じ通信事業者のセル基地局がリスニングＲＳサブフレーム位置でｍｕｔｉｎｇを実行するように指示することを含む。
【０１０２】
前記隣接セル基地局は、前記リスニングＲＳサブフレーム位置情報及び前記指示を受信した後、リスニングＲＳサブフレーム位置でｍｕｔｉｎｇをすぐに実行してもよいし、自身の状況に応じてリスニングＲＳサブフレーム位置でｍｕｔｉｎｇを実行するかどうかを決定してもよい。
【０１０３】
前記指示は、識別子情報又は命令メッセージであってもよく、例えば、識別子情報が１又は０である場合、ｍｕｔｉｎｇを実行することを示し、又は命令メッセージである「ｍｕｔｉｎｇ」は、ｍｕｔｉｎｇを実行することを示す。
【０１０４】
この方法において、パラメータはリスニングＲＳサブフレーム位置情報を含み、前記リスニングＲＳサブフレーム位置情報はリスニングＲＳサブフレームの出現の周期情報、開始サブフレーム位置情報によって記述され、リスニングＲＳサブフレーム位置情報は、ターゲットセル基地局がＲＳを監視するサブフレーム位置である。
【０１０５】
ターゲットセル基地局とターゲットセルの隣接セル基地局との間のインタラクトについて、Ｓ１インターフェース、又はＸ２インターフェース、又は無線エアインターフェース、又はバックホールリンクを介してインタラクトしてもよい。
【０１０６】
上記の１１種類の方法は、いずれも以下のものを選択的に含む。
【０１０７】
ターゲットセル基地局、又はソースセル基地局、又はセンターノードの設定された監視関係が変化し且つエアインターフェース同期へ影響を与える場合、例えば、ターゲットセル基地局が所定のソースセルのリスニングＲＳを正確に監視できない場合、又はソースセル基地局が指定されたリスニングＲＳのサブフレーム位置でリスニングＲＳを送信できない場合、又はセンターノードが監視関係、設定関係、ミューティング関係を更新した場合、このような変化がエアインターフェース同期へ影響を与えることがあるため、ターゲットセル基地局、ソースセル基地局、センターノードは、このような変化をインタラクトする必要があり、隣接セルにタイムリーに通知して、監視関係、設定関係、ミューティング関係をタイムリーに調整する必要もある。
【０１０８】
ソースセル基地局が指定されたリスニングＲＳのサブフレーム位置でリスニングＲＳを送信できない場合、ソースセル基地局は、タイムリーに隣接セル基地局に通知し、例えば、ソースセル基地局は、新しいリスニングＲＳサブフレーム位置を隣接セル基地局へ送信する。
【０１０９】
上記の１１種類の方法は、いずれも以下のものを選択的に含む。ソースセル基地局がオフされる必要がある場合、ソースセル基地局は、依然としてリスニングＲＳサブフレーム位置でリスニングＲＳをターゲットセル基地局へ送信する必要がある。ソースセル基地局は、自身がターゲットセル基地局により監視されないことを決定した場合、リスニングＲＳを継続的に送信しない。
【０１１０】
例えば、ターゲットセル基地局は、オフされる必要がある場合、センターノード又はソースセル基地局へリスニング要求情報を送信することができる。この時、リスニング要求情報は、ビット情報で、ターゲットセル基地局がソースセル基地局を必要としないことを記述する。ターゲットセル基地局がオフされる必要があるため、ターゲットセル基地局は、リスニング要求情報を送信してソースセル基地局に通知する。この時、リスニング要求情報は、ターゲットセルがソースセル基地局を必要としないことを記述する。当該情報を受信したソースセル基地局は、当該ターゲットセル基地局のためにエアインターフェース同期の監視を提供しないことを知ることになる。
【０１１１】
例えば、ターゲットセル基地局は、複数の候補ソースセル基地局から一つの適切なソースセル基地局を選択する。選択されない候補ソースセル基地局に対して、ターゲットセル基地局はソースセル決定情報を送信する。また、ソースセル決定情報のビットの意味を設定して、当該ソースセル決定情報を受信したセル基地局が、ソースセル基地局として選定されないことを示す。
【０１１２】
上記の１１種類の方法は、いずれも以下のものを含む。
【０１１３】
センターノードは、マクロセル基地局及びコアネットワークのネットワーク要素を含み、
センターノード、ソースセル、ターゲットセル基地局、ソースセルの隣接セル基地局、ターゲットセルの隣接セル基地局の間のインタラクトについて、Ｓ１インターフェース、又はＸ２インターフェース、又は無線エアインターフェース、又はバックホールリンクを介してインタラクトすることができる。
【０１１４】
以下、いくつかの具体的な実施例を参照して、上記方法の応用を説明する。
【０１１５】
実施例１
ターゲットセル基地局は、初期設定のとき又は動作中に、ソースセル基地局のリスニングＲＳ信号が弱くなっていることを発見した場合、センターノードへリスニング要求情報を送信し、リスニング要求情報は、ターゲットセル基地局が測定して取得した初歩的な候補ソースセル情報を含む。ここで、センターノードがＭａｃＲｏ基地局であると仮定する。
【０１１６】
センターノードは、ターゲットセル基地局により報告された候補ソースセルから、ターゲットセル基地局のためにソースセル基地局を選択し、又はセンターノードは、非候補ソースセルからソースセル基地局を提供してもよく、センターノードは、ターゲットセル基地局のために選択されたソースセル基地局の情報をターゲットセル基地局へ送信する。
【０１１７】
センターノードは、ソースセル基地局に自分がソースセル基地局として選定されることを知らせるために、同時にソースセル決定情報を、選択されたソースセル基地局へ送信する。さらに、センターノードは、ソースセル基地局に自分がソースセル基地局とされるかどうかを知らせるために、ターゲットセル基地局により報告された情報に応じて、ソースセル基地局へ最新の変更情報を適時に通知する必要がある。
【０１１８】
ソースセル基地局がオフされる必要がある場合、ソースセル基地局は、自分がソースセル基地局とされているかどうかを判定でき、ソースセル基地局とされている場合、リスニングＲＳを送信し、ソースセル基地局とされていない場合、オフされる際にリスニングＲＳを送信する必要がない。
【０１１９】
ソースセル基地局がオフされる際にリスニングＲＳを継続的に送信するかどうかは、ソースセル基地局の省エネ及びエアインターフェース同期の性能に直接に影響を与える。例えば、ソースセル基地局が、自分がソースセル基地局とされているかどうかを分からないため、ソースセル基地局がリスニングＲＳを一旦オフする場合、ターゲットセル基地局のエアインターフェース同期に直接に影響を与える。
【０１２０】
実施例２
ターゲットセル基地局は、初期設定のとき又は動作中に、ソースセル基地局のリスニングＲＳ信号が弱くなっていることを発見した場合、候補ソースセル基地局へリスニング要求情報を送信し、リスニング要求情報は、ターゲットセル基地局が測定して取得した初歩的な候補ソースセル情報を含む。
【０１２１】
候補ソースセル基地局はターゲットセルへ要求応答を送信し、要求応答にはリスニングＲＳサブフレーム位置情報、層数、ＲＳ設定情報及びソースセル基地局の同期状態のうちの複数を含み、前記同期状態は、ソースセルが同期ソースであるかどうかを記述することに用いられる。
【０１２２】
次に、ターゲットセル基地局は、候補ソースセル基地局の要求応答を取得した後、要求応答における情報に応じて、候補ソースセル基地局のリスニングＲＳを速く受信することができ、又は層数や同期状態に応じて、ソースセル基地局として継続的に利用するかどうかを判断することができる。最終に、ターゲットセル基地局は、適切なソースセル基地局を選択した場合、ソースセル決定情報を、選択されたソースセル基地局へ送信する。ターゲットセル基地局は、適切なソースセル基地局を選択しない場合、候補ソースセル基地局を再度に収集し、以上のプロセスを再度に開始する。
【０１２３】
ここで、ターゲットセル基地局は、要求応答に応じて適切なソースセル基地局を選択した後、ソースセル決定情報を、選択されたソースセル基地局へ送信しなくてもよい。この場合、要求応答を送信したソースセル基地局は、自分があるセルのソースセル基地局とされることを認識する。この方式は十分に合理ではないが、利用可能なものである。
【０１２４】
実施例３
ターゲットセル基地局は、初期設定のとき又は動作中に、ソースセル基地局のリスニングＲＳ信号が弱くなっていることを発見した場合、センターノード（例えばコアネットワークのネットワーク要素）へリスニング要求情報を送信し、リスニング要求情報は、ターゲットセル基地局が測定して取得した初歩的な候補ソースセル情報を含む。
【０１２５】
センターノードは、前記候補ソースセルの関連情報を取得し、関連情報をターゲットセル基地局へ送信する。ここで、関連情報は、リスニングＲＳサブフレーム位置情報、層数、ＲＳ設定情報及び同期状態を含む。
【０１２６】
ターゲットセル基地局は、前記関連情報に応じて適切なソースセル基地局を選択し、ソースセル決定情報をセンターノードへ送信する。
【０１２７】
センターノードはソースセル決定情報をターゲットセルにより選択されたソースセル基地局へ送信する。
【０１２８】
実施例４
ターゲットセル基地局は、初期設定のとき又は動作中に、ソースセル基地局のリスニングＲＳ信号が弱くなっていることを発見した場合、センターノード（例えばコアネットワークのネットワーク要素）へリスニング要求情報を送信し、リスニング要求情報は、ターゲットセル基地局が測定して取得した初歩的な候補ソースセル情報を含む。
【０１２９】
センターノードは、前記候補ソースセルの関連情報を取得し、関連情報をターゲットセル基地局へ送信する。ここで、前記関連情報は、リスニングＲＳサブフレーム位置情報、層数、ＲＳ設定情報及び同期状態を含む。
【０１３０】
ターゲットセル基地局は、前記関連情報に応じて適切なソースセル基地局を選択し、ソースセル決定情報を、選択されたソースセル基地局へ送信する。
【０１３１】
以上の方法を実現するために、本発明の実施例はまた、エアインターフェース同期のシステムを提供し、当該システムは以下の構成である。
【０１３２】
第１の構成：図５に示すように、当該システムは、ターゲットセル基地局５１、センターノード５２、及びソースセル基地局５３を含む。
【０１３３】
ターゲットセル基地局５１は、センターノード５２へ候補ソースセル情報が含まれているリスニング要求情報を送信し、リスニングソースセル情報及びリスニングＲＳサブフレーム位置情報を受信する。
【０１３４】
センターノード５２は、前記候補ソースセル情報に応じて、エアインターフェース同期監視関係を決定し、エアインターフェース同期監視関係によって決定されたソースセル基地局５３へソースセル決定情報及びリスニングＲＳサブフレーム位置情報を送信し、かつターゲットセル基地局５１へリスニングソースセル情報及びリスニングＲＳサブフレーム位置情報を送信する。
【０１３５】
ソースセル基地局５３は、ソースセル決定情報及びリスニングＲＳサブフレーム位置情報を受信する。
【０１３６】
ここで、前記センターノード５２は、マクロセル基地局及びコアネットワークのネットワーク要素を含む。
【０１３７】
前記センターノード５２は、ソースセル基地局５３又はターゲットセル基地局５１とインタラクトする場合、Ｓ１インターフェース、又はＸ２インターフェース、又は無線エアインターフェース、又はバックホールリンクを介してインタラクトする。
【０１３８】
第２の構成：図６に示すように、当該システムは、ターゲットセル基地局５１、及び候補ソースセル基地局６１を含む。
【０１３９】
ターゲットセル基地局５１は、候補ソースセル基地局６１へエアインターフェース同期のためのリスニング要求情報を送信し、候補ソースセル基地局の要求応答に応じて、ソースセル基地局を選択する。
【０１４０】
候補ソースセル基地局６１は、前記リスニング要求情報を受信し、ターゲットセル基地局５１へ送信し、ここで、前記要求応答は、リスニングＲＳサブフレーム位置情報、層数、及びＲＳ設定情報のうちの少なくとも一つを含む。
【０１４１】
前記ターゲットセル基地局５１は、さらに、前記要求応答に応じてソースセル基地局を選択した後、選択されたソースセル基地局へソースセル決定情報を送信するように構成される。
【０１４２】
ここで、前記候補ソースセル基地局６１とターゲットセル基地局５１との間は、Ｓ１インターフェース、又はＸ２インターフェース、又は無線エアインターフェース、又はバックホールリンクを介してインタラクトする。
【０１４３】
第３の構成：図５に示すように、当該システムは、ターゲットセル基地局５１、センターノード５２、及びソースセル基地局５３を含む。
【０１４４】
ターゲットセル基地局５１は、センターノード５２へ候補ソースセル情報が含まれているリスニング要求情報を送信し、さらに、センターノード５２により送信された候補ソースセルの関連情報に応じてソースセル基地局５３を選択する。
【０１４５】
センターノード５２は、候補ソースセルの関連情報を取得し、前記関連情報をターゲットセル基地局５１へ送信し、ここで、前記関連情報は、リスニングＲＳサブフレーム位置情報、層数、及びＲＳ設定情報を含み、前記関連情報は、リスニングＲＳサブフレーム位置情報、層数、及びＲＳ設定情報のうちの少なくとも一つを含む。
【０１４６】
前記ターゲットセル基地局５１は、さらに、前記関連情報に応じてソースセル基地局５３を選択した後、センターノード５２へソースセル決定情報を送信するように構成される。
【０１４７】
前記センターノード５２は、さらに、ソースセル決定情報をターゲットセル基地局５１により選択されたソースセル基地局５３へ送信するように構成される。
【０１４８】
ソースセル基地局５３はソースセル決定情報を受信する。
【０１４９】
ここで、前記センターノード５２は、マクロセル基地局及びコアネットワークのネットワーク要素を含む。
【０１５０】
前記センターノード５２は、Ｓ１インターフェース、又はＸ２インターフェース、又は無線エアインターフェース、又はバックホールリンクを介して、ソースセル基地局５３又はターゲットセル基地局５１とインタラクトする。
【０１５１】
第４の構成：図５に示すように、当該システムは、ターゲットセル基地局５１、センターノード５２、及びソースセル基地局５３を含む。
【０１５２】
ターゲットセル基地局５１は、センターノード５２へ候補ソースセル情報が含まれているリスニング要求情報を送信し、さらに、センターノード５２により送信された候補ソースセルの関連情報に応じて、ソースセル基地局５３を選択する。
【０１５３】
センターノード５２は、候補ソースセルの関連情報を取得し、前記関連情報をターゲットセル基地局５１へ送信する。ここで、前記関連情報は、リスニングＲＳサブフレーム位置情報、層数、及びＲＳ設定情報のうちの少なくとも一つを含む。
【０１５４】
前記ターゲットセル基地局５１は、さらに、前記関連情報に応じてソースセル基地局５３を選択した後、ソースセル決定情報を選択されたソースセル基地局５３へ送信するように構成される。
【０１５５】
ここで、前記センターノード５２は、マクロセル基地局及びコアネットワークのネットワーク要素を含む。
【０１５６】
前記ターゲットセル基地局５１は、Ｓ１インターフェース、又はＸ２インターフェース、又は無線エアインターフェース、又はバックホールリンクを介してソースセル基地局５３又はセンターノード５２とインタラクトする。
【０１５７】
第５の構成：図７に示すように、当該システムは、ターゲットセル基地局５１、及びソースセル基地局５３を含む。
【０１５８】
ターゲットセル基地局５１は、ソースセル基地局５３を選択し、ソースセル決定情報及びリスニングＲＳサブフレーム位置情報を、選択されたソースセル基地局５３へ送信する。
【０１５９】
ソースセル基地局５３はリスニングＲＳサブフレーム位置でリスニングＲＳを送信する。
【０１６０】
ここで、前記ソースセル基地局５３とターゲットセル基地局５１との間は、Ｓ１インターフェース、又はＸ２インターフェース、又は無線エアインターフェース、又はバックホールリンクを介してインタラクトする。
【０１６１】
第６の構成：図８に示すように、当該システムは、センターノード５２、及びソースセル基地局５３を含む。
【０１６２】
センターノード５２は、ソースセルとされるソースセル基地局５３へソースセル決定情報及びリスニングＲＳサブフレーム位置情報を送信する。
【０１６３】
ソースセル基地局５３は、リスニングＲＳサブフレーム位置情報に応じて、リスニングＲＳサブフレーム位置でリスニングＲＳを送信する。
【０１６４】
ここで、前記センターノード５２は、マクロセル基地局及びコアネットワークのネットワーク要素を含む。
【０１６５】
前記センターノード５２とソースセル基地局５３との間は、Ｓ１インターフェース、又はＸ２インターフェース、又は無線エアインターフェース、又はバックホールリンクを介してインタラクトする。
【０１６６】
第７の構成：図９に示すように、当該システムは、ターゲットセル基地局５１、ターゲットセル基地局５１の隣接セル基地局９１を含む。
【０１６７】
ターゲットセル基地局５１は、リスニングＲＳサブフレーム位置を取得し、リスニングＲＳサブフレーム位置情報を隣接セル基地局９１へ送信し、隣接セル基地局９１がリスニングＲＳサブフレーム位置でｍｕｔｉｎｇを実行するように指示する。
【０１６８】
ある実施例において、前記ターゲットセル基地局５１は、具体的には、センターノードにより送信されたリスニングＲＳサブフレーム位置、又は候補ソースセル基地局により送信されたリスニングＲＳサブフレーム位置情報、層数、及びＲＳ設定情報が含まれている要求応答を受信するように構成される。
【０１６９】
ある実施例において、前記ターゲットセル基地局５１は、具体的には、リスニングＲＳサブフレーム位置情報をＳ１インターフェース、又はＸ２インターフェース、又は無線エアインターフェース、又はバックホールリンクを介して、隣接セル基地局９１へ送信し、さらに、識別子情報又は命令メッセージで、隣接セル基地局９１がリスニングＲＳサブフレーム位置でｍｕｔｉｎｇを実行するように指示するように構成される。
【０１７０】
ある実施例において、前記ターゲットセル基地局５１は、具体的には、リスニングＲＳサブフレーム位置情報をＳ１インターフェース、Ｘ２インターフェース、無線エアインターフェース又はバックホールリンクを介して、隣接セル基地局９１へ送信するように構成される。
【０１７１】
ある実施例において、前記ターゲットセル基地局５１は、具体的には、Ｓ１インターフェース、又はＸ２インターフェース、又は無線エアインターフェース、又はバックホールリンクを介して前記識別子情報又は命令メッセージを隣接セル基地局９１へ送信するように構成される。
【０１７２】
前記隣接セル基地局９１は、前記リスニングＲＳサブフレーム位置情報及び前記指示を受信した後、リスニングＲＳサブフレーム位置でｍｕｔｉｎｇを実行し、又は自身の状況に応じて前記リスニングＲＳサブフレーム位置でｍｕｔｉｎｇを実行するかどうかを決定するように構成される。
【０１７３】
ここで、前記ターゲットセル基地局５１は、リスニングＲＳサブフレームの出現の周期情報、開始サブフレーム位置情報で、リスニングＲＳサブフレーム位置情報を記述するように構成される。
【０１７４】
前記リスニングＲＳサブフレーム位置情報は、ターゲットセル基地局５１がＲＳを監視するサブフレーム位置である。
【０１７５】
第８の構成：図１０に示すように、当該システムは、センターノード５２、ターゲットセル基地局５１、及びターゲットセル基地局５１の隣接セル基地局９１を含む。
【０１７６】
センターノード５２は、ターゲットセルのリスニングＲＳサブフレーム位置を決定し、ターゲットセル基地局５１へ前記リスニングＲＳサブフレーム位置情報を送信する。
【０１７７】
ターゲットセル基地局５１は、前記リスニングＲＳサブフレーム位置情報をターゲットセル基地局５１の隣接セル基地局９１へ送信する。
【０１７８】
ターゲットセル基地局５１の隣接セル基地局９１は、前記リスニングＲＳサブフレーム位置情報を受信する。
【０１７９】
ここで、前記センターノード５２は、マクロセル基地局及びコアネットワークのネットワーク要素を含む。
【０１８０】
前記センターノード５２とターゲットセル基地局５１とターゲットセル基地局５１の隣接セル基地局９１との間は、Ｓ１インターフェース、又はＸ２インターフェース、又は無線エアインターフェース、又はバックホールリンクを介してインタラクトする。
【０１８１】
第９の構成：図１０に示すように、当該システムは、センターノード５２、ターゲットセル基地局５１、及びターゲットセル基地局５１の隣接セル基地局９１を含む。
【０１８２】
センターノード５２は、ターゲットセルのリスニングＲＳサブフレーム位置を決定し、ターゲットセル基地局５１及びターゲットセル基地局５１の隣接セル基地局９１へリスニングＲＳサブフレーム位置情報を送信して、ターゲットセル基地局５１の隣接セル基地局９１がリスニングＲＳサブフレーム位置でｍｕｔｉｎｇを実行するように指示する。
【０１８３】
ターゲットセル基地局５１は、リスニングＲＳサブフレーム位置情報を受信する。
【０１８４】
ターゲットセル基地局５１の隣接セル基地局９１は、リスニングＲＳサブフレーム位置情報及び前記指示を受信する。
【０１８５】
ここで、前記センターノード５２は、マクロセル基地局及びコアネットワークのネットワーク要素を含む。
【０１８６】
前記センターノード５２とターゲットセル基地局５１とターゲットセル基地局５１の隣接セル基地局９１との間は、Ｓ１インターフェース、又はＸ２インターフェース、又は無線エアインターフェース、又はバックホールリンクを介してインタラクトする。
【０１８７】
第１０の構成：図１１に示すように、当該システムは、ターゲットセル基地局５１、ソースセル基地局５３、及びソースセル基地局５３の隣接セル基地局１１１を含む。
【０１８８】
ターゲットセル基地局５１は、ソースセル基地局５３を選択し、リスニングＲＳサブフレーム位置情報が含まれているソースセル決定情報を、選択されたソースセル基地局５３へ送信する。
【０１８９】
ソースセル基地局５３は、前記ソースセル決定情報を受信し、自身の隣接セル基地局１１１へリスニングＲＳサブフレーム位置情報を送信する。
【０１９０】
ソースセル基地局５３の隣接セル基地局１１１は、リスニングＲＳサブフレーム位置情報に応じて、リスニングＲＳサブフレーム位置でｍｕｔｉｎｇを実行する。
【０１９１】
ここで、前記ターゲットセル基地局５１とソースセル基地局５３と前記隣接セル基地局１１１との間は、Ｓ１インターフェース、又はＸ２インターフェース、又は無線エアインターフェース、又はバックホールリンクを介してインタラクトする。
【０１９２】
第１１の構成：図１２に示すように、当該システムは、ターゲットセル基地局５１、及び隣接する同じ通信事業者のセル基地局１２１を含む。
【０１９３】
ターゲットセル基地局５１は、リスニングＲＳサブフレーム位置情報を、隣接する同じ通信事業者のセル基地局１２１へ送信して、前記隣接する同じ通信事業者のセル基地局１２１がリスニングＲＳサブフレーム位置でｍｕｔｉｎｇを実行するように指示する。
【０１９４】
隣接する同じ通信事業者のセル基地局１２１は、リスニングＲＳサブフレーム位置情報及び前記指示を受信した後、リスニングＲＳサブフレーム位置でｍｕｔｉｎｇをすぐに実行してもよいし、自身の状況に応じてリスニングＲＳサブフレーム位置でｍｕｔｉｎｇを実行するかどうかを決定してもよい。
【０１９５】
ここで、前記ターゲットセル基地局５１と前記隣接する同じ通信事業者のセル基地局１２１との間は、Ｓ１インターフェース、又はＸ２インターフェース、又は無線エアインターフェース、又はバックホールリンクを介してインタラクトする。
【０１９６】
前記指示は、識別子情報又は命令メッセージであってもよく、例えば、識別子情報が１又は０である場合、ｍｕｔｉｎｇを実行することを示し、又は、命令メッセージである「ｍｕｔｉｎｇ」はｍｕｔｉｎｇを実行することを示す。
【０１９７】
ここで、リスニングＲＳサブフレーム位置情報は、リスニングＲＳサブフレーム出現の周期情報、開始サブフレーム位置情報によって記述され、前記リスニングＲＳサブフレーム位置情報は、ターゲットセル基地局５１がＲＳを監視するサブフレーム位置である。
【０１９８】
以上は、本発明の最適的な実施例に過ぎなく、実施例が矛盾しない場合に結合して利用してもよく、本発明の保護範囲を制限するものではない。
【産業上の利用可能性】
【０１９９】
本発明の実施例によれば、ソースセルに自分がソースセルとされることをタイムリーに知らせることによって、ソースセルは、オフされる際にリスニングＲＳを正確に送信することができ、これによって従来のプロセスにおいて、ソースセルが、自分がソースセルとされることを分からないため、オフされる際に依然としてリスニングＲＳを送信するかどうかを正確に判断することができないという問題を解決することができる。
【図１】
2018137767.tif 000003
【図２】
2018137767.tif 000004
【図３】
2018137767.tif 000005
【図４】
2018137767.tif 000006
【図５】
2018137767.tif 000007
【図６】
2018137767.tif 000008
【図７】
2018137767.tif 000009
【図８】
2018137767.tif 000010
【図９】
2018137767.tif 000011
【図１０】
2018137767.tif 000012
【図１１】
2018137767.tif 000013
【図１２】
2018137767.tif 000014